(57)【特許請求の範囲】
【請求項１】
前面（１ａ）に吸込口（２）を、上面（１ｂ）に上面吹出口（３）を、側面（１ｃ）に側面吹出口（４）をそれぞれ設け且つ室内床面（５１）側に設置されるケーシング（１）内に、ファン（５）と第１熱交換器（６）と第２熱交換器（７，８）とを配置して構成される空気調和機の室内機であって、
上記第１熱交換器（６）を送風方向上流側に、上記第２熱交換器（７，８）を送風方向下流側にそれぞれ位置させるとともに、該第２熱交換器（７，８）を上記上面吹出口（３）と上記側面吹出口（４）の何れか一方に臨ませ且つ暖房運転時又は冷房運転時において上記側面吹出口（４）より吹き出される側方吹出空気（Ａｃ）の温度が上記上面吹出口（３）より吹き出される上方吹出空気（Ａｂ）の温度より高温となるようにしたことを特徴とする空気調和機の室内機。
【請求項２】
請求項１において、
上記第２熱交換器（７，８）を上記第１熱交換器（６）と一体に、又は別体に形成したことを特徴とする空気調和機の室内機。
【請求項３】
前面（１ａ）に吸込口（２）を、上面（１ｂ）に上面吹出口（３）を、側面（１ｃ）に側面吹出口（４）をそれぞれ設け且つ室内床面（５１）側に設置されるケーシング（１）内に、ファン（５）と第１熱交換器（６）と第２熱交換器（７）とを配置して構成される空気調和機の室内機であって、
上記第２熱交換器（７）を上記上面吹出口（３）に臨ませて配置するとともに、該第２熱交換器（７）を冷房運転時には低圧側で蒸発器として機能させ、暖房運転時には冷房運転時よりも高圧寄りで蒸発器として機能させるように構成したことを特徴とする空気調和機の室内機。
【請求項４】
前面（１ａ）に吸込口（２）を、上面（１ｂ）に上面吹出口（３）を、側面（１ｃ）に側面吹出口（４）をそれぞれ設け且つ室内床面（５１）側に設置されるケーシング（１）内に、ファン（５）と第１熱交換器（６）と第２熱交換器（８）とを配置して構成される空気調和機の室内機であって、
上記第２熱交換器（８）を上記側面吹出口（４）に臨ませて配置するとともに、該第２熱交換器（８）を暖房運転時には高圧側で凝縮器として、冷房運転時に暖房運転時よりも低圧寄りで蒸発器として機能させるように構成したことを特徴とする空気調和機の室内機。
【請求項５】
請求項１，２，３又は４において、
上記第１熱交換器（６）と上記第２熱交換器（７，８）の何れか一方又は双方を、複数本の偏平伝熱管（３１）とフィン（３２）とを交互に積層するとともに該各偏平伝熱管（３１）の両端をそれぞれヘッダー（３３），（３４）によって接続してなる積層型熱交換器（３０）で構成したことを特徴とする空気調和機の室内機。
【請求項６】
前面（１ａ）に吸込口（２）を、上面（１ｂ）に上面吹出口（３）を、側面（１ｃ）に側面吹出口（４）をそれぞれ設け且つ室内床面（５１）側に設置されるケーシング（１）内に、ファン（５）と熱交換器（６）とを配置して構成される空気調和機の室内機であって、
上記側面吹出口（４）にヒーター（１５）を設け、暖房運転時又は冷房運転時において上記側面吹出口（４）より吹き出される側方吹出空気（Ａｃ）の温度が上記上面吹出口（３）より吹き出される上方吹出空気（Ａｂ）の温度より高温となるようにしたことを特徴とする空気調和機の室内機。
【請求項７】
前面（１ａ）に吸込口（２）を、上面（１ｂ）に上面吹出口（３）を、側面（１ｃ）に側面吹出口（４）をそれぞれ設け且つ室内床面（５１）側に設置されるケーシング（１）内に、ファン（５）と熱交換器（６）とを配置して構成される空気調和機の室内機であって、
室内空気を上記熱交換器（６）を迂回させて上記上面（１ｂ）と上記側面（１ｃ）の何れか一方側に、又はこれら双方側に吹き出すサーキュレーション機構（Ｘ）を設け、暖房運転時又は冷房運転時において上記側面吹出口（４）より吹き出される側方吹出空気（Ａｃ）の温度が上記上面吹出口（３）より吹き出される上方吹出空気（Ａｂ）の温度より高温となるようにしたことを特徴とする空気調和機の室内機。
【発明の詳細な説明】
【０００２】
【発明の属する技術分野】
【０００３】
本願発明は、室内の床面あるいはその近傍の低所に室内壁面に沿って設置され、上方及び側方へ空調風を吹き出すようにした空気調和機の室内機に関するものである。
【従来の技術】
【０００４】
一般に、空気調和機は、室内に冷風あるいは温風を吹き出し、これを室内において対流により循環させることで室内の冷暖房を行うようになっている。
【０００５】
ところが、このような強制対流方式によって室内の冷暖房を行う場合、問題となるのが、ペリメータゾーンから居住域への熱輻射の影響である。即ち、例えば夏季とか冬季には室外温度と室内温度との差が大きく、室内の壁面あるいは窓部の近傍のペリメータゾーンにおいては、壁面とか窓を介して熱輻射により室外側から室内側に熱が侵入し、空調時の冷房負荷とか暖房負荷が増加し、冷暖房の快適性が損なわれることになる。
【０００６】
このようなペリメータゾーンからの熱影響による冷暖房の快適性の悪化を抑制する技術として、空気調和機の室内機を室内の壁際とか窓際の床面上あるいはその近傍の低所に設置し、空調風を上方及び側方へ吹き出してペリメータゾーンの近傍にエアバリアを形成して該ペリメータゾーンからの熱影響を排除しつつ室内の冷暖房を行う方法が提案されている。
【０００７】
図２６には係る用途に使用される室内機Ｚ０を、また図２７にはその空気調和機の冷媒回路を示している。上記室内機Ｚ０は、矩形形態をもち且つその前面１ａに吸込口２を、上面１ｂに上面吹出口３を、両側面１ｃ，１ｃにそれぞれ側面吹出口４を設けたケーシング１内に、遠心式ファン５，５をその吸込側を上記吸込口２側に向けて配置するとともに、該ファン５の吸込側と上記吸込口２との間に第１熱交換器６を配置して構成され、上記ファン５，５によって上記吸込口２から吸い込まれる室内空気を上記第１熱交換器６において熱交換して冷風あるいは温風とし、これを上記上面吹出口３から上方へ向けて、また上記各側面吹出口４，４から側方へ向けてそれぞれ吹き出すようになっている。また、この室内機Ｚ０は、図２７に示すように、圧縮機９と四路切換弁１０と室外側熱交換器１１と主膨張弁１２とを備えた室外機Ｙと冷媒配管により接続されることで空気調和機を構成している。
【発明が解決しようとする課題】
【０００８】
ところが、このような従来の低所設置型の室内機Ｚ０においては、上記ファン５の吸込側に第１熱交換器６を配置し、該ファン５の吹出側には上記上面吹出口３と側面吹出口４とが直接臨む構造とされているので、暖房運転時には図２８に示すように、また冷房運転時には図２９に示すように、これら何れの運転時においても、吸込空気Ａａは上記第１熱交換器６において熱交換した後、上記上面吹出口３から上方吹出空気Ａｂとして、また上記側面吹出口４から側方吹出空気Ａｃとしてそれぞれ吹き出され、上方吹出温度と側方吹出温度は同じ温度とされる。
【０００９】
従って、上記上面吹出口３からの上方吹出空気Ａｂと上記側面吹出口４からの側方吹出空気Ａｃとによって窓際あるいは壁際にエアバリアを形成して窓部等からの輻射熱の侵入を抑制するという機能は達成されるものの、暖房運転時においては室内床面側の暖気の浮上によって床面側の温度が低下し、また冷房運転時には床面側に冷気が溜まり易く、何れの運転においても理想的な温熱環境である「頭寒足熱」を実現することが困難であり、空調の快適性が損なわれるという問題があった。
【００１０】
そこで本願発明は、低所設置型の空気調和機の室内機において、ドラフト感のない「頭寒足熱」という理想的な温熱環境を実現して空調の快適性を高めることを目的としてなされたものである。
【課題を解決するための手段】
【００１１】
本願発明ではかかる課題を解決するための具体的手段として次のような構成を採用している。
【００１２】
本願の第１の発明では、前面１ａに吸込口２を、上面１ｂに上面吹出口３を、側面１ｃに側面吹出口４をそれぞれ設け且つ室内床面５１側に設置されるケーシング１内に、ファン５と第１熱交換器６と第２熱交換器７，８とを配置して構成される空気調和機の室内機において、上記第１熱交換器６を送風方向上流側に、上記第２熱交換器７，８を送風方向下流側にそれぞれ位置させるとともに、該第２熱交換器７，８を上記上面吹出口３と上記側面吹出口４の何れか一方に臨ませ且つ暖房運転時又は冷房運転時において上記側面吹出口４より吹き出される側方吹出空気Ａｃの温度が上記上面吹出口３より吹き出される上方吹出空気Ａｂの温度より高温となるようにしたことを特徴としている。
【００１３】
本願の第２の発明では、上記第１の発明にかかる空気調和機の室内機において、上記第２熱交換器７，８を上記第１熱交換器６と一体に、又は別体に形成したことを特徴としている。
【００１４】
本願の第３の発明では、前面１ａに吸込口２を、上面１ｂに上面吹出口３を、側面１ｃに側面吹出口４をそれぞれ設け且つ室内床面５１側に設置されるケーシング１内に、ファン５と第１熱交換器６と第２熱交換器７とを配置して構成される空気調和機の室内機において、上記第２熱交換器７を上記上面吹出口３に臨ませて配置するとともに、該第２熱交換器７を冷房運転時には低圧側で蒸発器として機能させ、暖房運転時には冷房運転時よりも高圧寄りで蒸発器として機能させるように構成したことを特徴としている。
【００１５】
本願の第４の発明では、前面１ａに吸込口２を、上面１ｂに上面吹出口３を、側面１ｃに側面吹出口４をそれぞれ設け且つ室内床面５１側に設置されるケーシング１内に、ファン５と第１熱交換器６と第２熱交換器８とを配置して構成される空気調和機の室内機において、上記第２熱交換器８を上記側面吹出口４に臨ませて配置するとともに、該第２熱交換器８を暖房運転時には高圧側で凝縮器として、冷房運転時に暖房運転時よりも低圧寄りで蒸発器として機能させるように構成したことを特徴としている。
【００１６】
本願の第５の発明では、上記第１、第２、第３又は第４の発明にかかる空気調和機の室内機において、上記第１熱交換器６と上記第２熱交換器７，８の何れか一方又は双方を、複数本の偏平伝熱管３１とフィン３２とを交互に積層するとともに該各偏平伝熱管３１の両端をそれぞれヘッダー３３，３４によって接続してなる積層型熱交換器３０で構成したことを特徴としている。
【００１７】
本願の第６の発明では、前面１ａに吸込口２を、上面１ｂに上面吹出口３を、側面１ｃに側面吹出口４をそれぞれ設け且つ室内床面５１側に設置されるケーシング１内に、ファン５と熱交換器６とを配置して構成される空気調和機の室内機において、上記側面吹出口４にヒーター１５を設け、暖房運転時又は冷房運転時において上記側面吹出口４より吹き出される側方吹出空気Ａｃの温度が上記上面吹出口３より吹き出される上方吹出空気Ａｂの温度より高温となるようにしたことを特徴としている。
【００１８】
本願の第７の発明では、前面１ａに吸込口２を、上面１ｂに上面吹出口３を、側面１ｃに側面吹出口４）をそれぞれ設け且つ室内床面５１側に設置されるケーシング１内に、ファン５と熱交換器６とを配置して構成される空気調和機の室内機において、室内空気を上記熱交換器６を迂回させて上記上面１ｂと上記側面１ｃの何れか一方側に、又はこれら双方側に吹き出すサーキュレーション機構Ｘを設け、暖房運転時又は冷房運転時において上記側面吹出口４より吹き出される側方吹出空気Ａｃの温度が上記上面吹出口３より吹き出される上方吹出空気Ａｂの温度より高温となるようにしたことを特徴としている。
【発明の効果】
【００１９】
本願発明ではかかる構成とすることにより次のような効果が得られる。
【００２０】
（イ）  本願の第１の発明では、前面１ａに吸込口２を、上面１ｂに上面吹出口３を、側面１ｃに側面吹出口４をそれぞれ設け且つ室内床面５１側に設置されるケーシング１内に、ファン５と第１熱交換器６と第２熱交換器７，８とを配置して構成される空気調和機の室内機において、上記第１熱交換器６を送風方向上流側に、上記第２熱交換器７，８を送風方向下流側にそれぞれ位置させるとともに、該第２熱交換器７，８を上記上面吹出口３と上記側面吹出口４の何れか一方に臨ませ且つ暖房運転時又は冷房運転時において上記側面吹出口４より吹き出される側方吹出空気Ａｃの温度が上記上面吹出口３より吹き出される上方吹出空気Ａｂの温度より高温となるようにしている。
【００２１】
従って、上記第２熱交換器７を上記上面吹出口３側に備えた場合には、その冷房運転時においては、上記上面吹出口３から上方へ吹き出される上方吹出空気Ａｂは上記第１熱交換器６と上記第２熱交換器７の双方を通過しこれら双方において冷却されるので、該第１熱交換器６のみしか通過しない上記側面吹出口４から側方へ吹き出される側方吹出空気Ａｃよりもその吹出温度が低くなり、室内上部にはより冷たい空気が、室内下部には比較的暖かい空気がそれぞれ吹き出されることで「頭寒足熱」が実現され、足元の冷気溜まりを効果的に抑制して快適な冷房感を得ることができる。即ち、冷房快適性重視の運転が実現される。
【００２２】
一方、上記第２熱交換器８を上記側面吹出口４に備えた場合には、その暖房運転時においては、上記側面吹出口４から側方へ吹き出される側方吹出空気Ａｃは上記第１熱交換器６と上記第２熱交換器８の双方を通過するため、該第１熱交換器６しか通過しない上記上面吹出口３から上方へ吹き出される上方吹出空気Ａｂよりもその吹出温度が高くなり、床面近くの暖気の浮上が室内上部の温度の低い空気によって押さえ込まれることで「頭寒足熱」が実現され、快適な暖房感が得られる。即ち、暖房快適性重視の運転が実現される。
【００２３】
（ロ）  本願の第２の発明では、上記第１の発明にかかる空気調和機の室内機において、上記第２熱交換器７，８を上記第１熱交換器６と一体に、又は別体に形成しているので、例えば、これら両者を一体に形成した場合には部品点数の低減あるいは組付工数の低減によって製造コストの低廉化を図り室内機をより安価に提供することができ、またこれらを別体に形成した場合にはケーシング１に対する上記第１熱交換器６と第２熱交換器７，８のレイアウトの自由度が向上し室内機の形態面でのニーズの多様化に容易に対応できる。
【００２４】
（ハ）  本願の第３の発明では、前面１ａに吸込口２を、上面１ｂに上面吹出口３を、側面１ｃに側面吹出口４をそれぞれ設け且つ室内床面５１側に設置されるケーシング１内に、ファン５と第１熱交換器６と第２熱交換器７とを配置して構成される空気調和機の室内機において、上記第２熱交換器７を上記上面吹出口３に臨ませて配置するとともに、該第２熱交換器７を冷房運転時には低圧側で蒸発器として機能させ、暖房運転時には冷房運転時よりも高圧寄りで蒸発器として機能させるように構成している。
【００２５】
従って、暖房運転時には上記上面吹出口３からは上記第１熱交換器６において加熱された後、該第１熱交換器６よりも低圧寄りで蒸発器として機能する上記第２熱交換器７において冷却された比較的低温の空気が吹き出されるのに対して、上記側面吹出口４からは上記第１熱交換器６において加熱されただけの比較的高温の空気が吹き出されるので、室内下部の比較的高温の空気の浮上が室内上部の比較的低温の空気によって押さえ込まれることで「頭寒足熱」が実現され、快適な暖房感が得られる。
【００２６】
一方、冷房運転時には、上記上面吹出口３からは上記第１熱交換器６と第２熱交換器７の双方を通過しこれら両者において冷却された低温の空気が吹き出されるのに対して、上記側面吹出口４からは上記第１熱交換器６のみを通過した比較的高温の空気が吹き出されることで、「頭寒足熱」が実現され、足元の冷気溜まりを効果的に抑制して快適な冷房感を得ることができる。
【００２７】
（ニ）  本願の第４の発明では、前面１ａに吸込口２を、上面１ｂに上面吹出口３を、側面１ｃに側面吹出口４をそれぞれ設け且つ室内床面５１側に設置されるケーシング１内に、ファン５と第１熱交換器６と第２熱交換器８とを配置して構成される空気調和機の室内機において、上記第２熱交換器８を上記側面吹出口４に臨ませて配置するとともに、該第２熱交換器８を暖房運転時には高圧側で凝縮器として、冷房運転時に暖房運転時よりも低圧寄りで蒸発器として機能させるように構成している。
【００２８】
従って、暖房運転時には上記側面吹出口４からは上記第１熱交換器６において加熱された後、さらに上記第２熱交換器８において加熱された温度の高い空気が吹き出されるのに対して、上記上面吹出口３からは上記第１熱交換器６において加熱されただけの比較的温度の低い空気が吹き出されるので、室内下部の比較的高温の空気の浮上が室内上部の比較的低温の空気によって押さえ込まれることで「頭寒足熱」が実現され、快適な暖房感が得られる。
【００２９】
一方、冷房運転時には、上記側面吹出口４からは上記第１熱交換器６において冷却された後、該第１熱交換器６よりも高圧寄りで蒸発器として機能する第２熱交換器８を通過することで加熱された比較的温度の高い空気が吹き出されるのに対して、上記上面吹出口３からは上記第１熱交換器６のみを通過した低温の空気が吹き出されることで、「頭寒足熱」が実現され、足元の冷気溜まりを効果的に抑制して快適な冷房感を得ることができる。
【００３０】
（ホ）  本願の第５の発明にかかる空気調和機の室内機によれば、上記第１、第２、第３又は第４の発明にかかる空気調和機の室内機において、上記第１熱交換器６と上記第２熱交換器７，８の何れか一方又は双方を、複数本の偏平伝熱管３１とフィン３２とを交互に積層するとともに該各偏平伝熱管３１の両端をそれぞれヘッダー３３，３４によって接続してなる積層型熱交換器３０で構成しているので、該積層型熱交換器３０の特性から、例えば上記第１熱交換器６と上記第２熱交換器７，８と共にクロスフィン型熱交換器で構成する場合に比して、その薄形化を図ることができ、その結果、室内機の形態のコンパクト化と性能向上との両立が可能となる。
【００３１】
（ヘ）  本願の第６の発明では、前面１ａに吸込口２を、上面１ｂに上面吹出口３を、側面１ｃに側面吹出口４をそれぞれ設け且つ室内床面５１側に設置されるケーシング１内に、ファン５と熱交換器６とを配置して構成される空気調和機の室内機において、上記側面吹出口４にヒーター１５を設け、暖房運転時又は冷房運転時において上記側面吹出口４より吹き出される側方吹出空気Ａｃの温度が上記上面吹出口３より吹き出される上方吹出空気Ａｂの温度より高温となるようにしたことを特徴としている。
【００３２】
従って、暖房運転時には、上記熱交換器６において加熱され上記上面吹出口３から上方へ吹き出される上方吹出空気Ａｂの温度は、上記熱交換器６と上記ヒーター１５の双方によって加熱され上記側面吹出口４から側方へ吹き出される側方吹出空気Ａｃの温度よりも低くなることから、室内下部の比較的高温の空気の浮上が室内上部の比較的低温の空気によって押さえ込まれて「頭寒足熱」が実現され、快適な暖房感が得られる。
【００３３】
一方、冷房運転時には、上記側面吹出口４からは上記熱交換器６において冷却された後、さらに上記ヒーター１５において加熱された比較的温度の高い空気が側方吹出空気Ａｃとして吹き出されるのに対して、上記上面吹出口３側からは上記熱交換器６において冷却されただけの比較的温度の低い空気が吹き出されることから、室内下部には比較的温度の低い空気が存在し、室内上部には比較的温度の高い空気が存在し、これによって理想的な温熱空間である「頭寒足熱」が実現され、足元の冷気溜まりを効果的に抑制して快適な冷房感を得ることができる。
【００３４】
（ト）  本願の第７の発明では、前面１ａに吸込口２を、上面１ｂに上面吹出口３を、側面１ｃに側面吹出口４をそれぞれ設け且つ室内床面５１側に設置されるケーシング１内に、ファン５と熱交換器６とを配置して構成される空気調和機の室内機において、室内空気を上記熱交換器６を迂回させて上記上面１ｂと上記側面１ｃの何れか一方側に、又はこれら双方側に吹き出すサーキュレーション機構Ｘを設け、暖房運転時又は冷房運転時において上記側面吹出口４より吹き出される側方吹出空気Ａｃの温度が上記上面吹出口３より吹き出される上方吹出空気Ａｂの温度より高温となるようにしたことを特徴としている。
【００３５】
従って、サーキュレーション機構Ｘによって室内空気を上記ケーシング１の上面１ｂ側に吹き出す構成とした場合、暖房運転時においては、上記熱交換器６で加熱された空気と上記サーキュレーション機構Ｘからの室内空気とが混合して上記上面吹出口３から上方へ吹き出されることで上方吹出空気Ａｂの温度は比較的低く抑えられる一方、上記側面吹出口４からは上記熱交換器６で加熱された比較的高温の側方吹出空気Ａｃが吹き出されることで、室内下部の比較的高温の空気の浮上が室内上部の比較的低温の空気によって押さえ込まれることで「頭寒足熱」が実現され、快適な暖房感が得られる。即ち、暖房快適性重視の運転が実現される。
【００３６】
一方、サーキュレーション機構Ｘによって室内空気を上記ケーシング１の側面１ｃ側に吹き出す構成とした場合、冷房運転時においては、上記上面吹出口３側からは上記熱交換器６で冷却された比較的低温の上方吹出空気Ａｂが上方へ向けて吹き出されるのに対して、上記側面吹出口４側からは上記熱交換器６で冷却された空気と上記サーキュレーション機構Ｘからの室内空気とが混合した比較的高温の側方吹出空気Ａｃが吹き出されることで、足元への冷気溜まりが可及的に防止され、冷房快適性重視の運転が実現される。
【発明の実施の形態】
【００３７】
以下、本願発明を幾つかの好適な実施形態に基づいて具体的に説明する。
【００３８】
先ず、図１には、本願発明がその対象とするセパレート型の空気調和機の室内機Ｚを示している。この室内機Ｚは、同図に示すように、室内の中でも特に空調負荷の高いペリメータゾーン、例えば窓部５３の近傍領域に設置して空調負荷の軽減を図るに好適な床置型室内機であって、窓部５３の下側の室内床面５１上に室壁５２に沿って設置され、空調風を上方と側方とに同時に吹き出すことで、窓部５３等からの輻射熱の侵入を抑制しつつ室内の空調を行うものである。
【００３９】
上記室内機Ｚにおいては、壁面設置に有利な矩形のケーシング１を備えるとともに、該ケーシング１の前面１ａには吸込口２を、上面１ｂには上面吹出口３を、左右両側面１ｃ，１ｃには側面吹出口４，４を、それぞれ設けている。
【００４０】
このケーシング１内には、左右一対の遠心式のファン５，５が、その吸込側を上記吸込口２に対向させた状態で横方向に所定間隔をもって併置されるとともに、該ファン５，５の吸込側と上記吸込口２の間には第１熱交換器６が設けられる。このように、上記ファン５の吸込側に上記第１熱交換器６を配置した構成が上記室内機Ｚの基本構成であって、本願発明はかかる基本構成に加えて、上記ファン５の吹出側に臨む上記上面吹出口３と側面吹出口４のうち、該上面吹出口３には第２熱交換器７を、また該側面吹出口４側には第２熱交換器８を、例えば、要求される室内の空調特性等の条件に応じて選択的に設けることで、冷房時及び暖房時の快適性を高めることに特徴を有するものである。
【００４１】
そして、上記上面吹出口３に上記第２熱交換器７を設けた場合には、上記吸込口２から吸い込まれる吸込空気Ａａは、上記第１熱交換器６を通過した後、その一部はさらに上記第２熱交換器７を通って上方吹出空気Ａｂとして上方へ吹き出され、他の一部はそのまま上記側面吹出口４から側方吹出空気Ａｃとして側方へ吹き出される。
【００４２】
また、上記側面吹出口４に上記第２熱交換器８を設けた場合には、上記吸込口２から吸い込まれる吸込空気Ａａは、上記第１熱交換器６を通過した後、その一部はさらに上記第２熱交換器８を通って側方吹出空気Ａｃとして側方へ吹き出され、他の一部はそのまま上記上面吹出口３から上方吹出空気Ａｂとして上方へ吹き出される。
【００４３】
以下、本願発明にかかる空気調和機の室内機を好適な実施形態に基づいて具体的に説明する。
【００４４】
（１）  第１の実施形態（図２〜図５参照）
第１の実施形態にかかる室内機Ｚ１は、図２に示すように、上記ケーシング１の上記吸込口２に対応して上記第１熱交換器６を配置するとともに、上記上面吹出口３と左右の側面吹出口４，４のうち、該各側面吹出口４，４にそれぞれ第２熱交換器８を設けて構成される。従って、上記ファン５，５の運転に伴い上記吸込口２から吸い込まれる吸込空気Ａａは、上記第１熱交換器６を通過した後、その一部はそのまま上記上面吹出口３から上方吹出空気Ａｂとして上方へ吹き出され、他の一部はさらに上記第２熱交換器８を通過した後、上記側面吹出口４から側方吹出空気Ａｃとして側方へ吹き出される。
【００４５】
上記室内機Ｚ１を含む空気調和機全体の冷媒回路構成を図３に示している。この空気調和機は、上記室内機Ｚ１と室外機Ｙとを冷媒配管によって接続して構成されるものであり、該室外機Ｙ側には圧縮機９と四路切換弁１０と室外側熱交換器１１と膨張弁１２が備えられ、また上記室内機Ｚ１には上記第１熱交換器６と第２熱交換器８とが備えられている。そして、この実施形態のものにおいては、上記第１熱交換器６と第２熱交換器８の配置構成を、冷房運転サイクルにおいて該第２熱交換器８が上記第１熱交換器６の冷媒循環方向上流側に位置するように設定している。
【００４６】
続いて、この実施形態にかかる室内機Ｚ１の暖房運転時と冷房運転時とにおける作動等について説明する。
【００４７】
この実施形態の室内機Ｚ１では、上記第２熱交換器８を上記側面吹出口４側に配置し、上記上面吹出口３側には熱交換器を設けていないので、暖房運転時及び冷房運転時共に、上記側面吹出口４側から吹き出される側方吹出空気Ａｃは上記第１熱交換器６と第２熱交換器８とにおいてそれぞれ熱交換作用を受けるのに対して、上記上面吹出口３から吹き出される上方吹出空気Ａｂは上記第１熱交換器６での熱交換作用しか受けず、この結果、上記側方吹出空気Ａｃと上方吹出空気Ａｂとの間には温度差を生じる。この側方吹出空気Ａｃと上方吹出空気Ａｂの温度差を有効に利用して、特に暖房運転時における快適性を高めるのがこの室内機Ｚ１である。
【００４８】
即ち、この室内機Ｚ１の暖房運転時においては、図４に示すように、吸込空気Ａａのうち、上記上面吹出口３から吹き出される上方吹出空気Ａｂは上記第１熱交換器６においてのみ加熱作用を受けるのに対して、上記側面吹出口４から吹き出される側方吹出空気Ａｃは上記第１熱交換器６と上記第２熱交換器８の双方において加熱作用を受けるので、上方吹出空気Ａｂは比較的低温とされ、側方吹出空気Ａｃは比較的高温とされる。この結果、室内下部の床面５１近くには比較的温度の高い空気が、室内上部には比較的温度の低い空気が存在することとなり、床面近くの温度の高い空気の浮上が室内上部の温度の低い空気によって押さえ込まれ、理想的な温熱環境である「頭寒足熱」が実現され、快適な暖房感が得られる。即ち、暖房快適性重視の運転が実現されるものである。
【００４９】
一方、上記室内機Ｚ１の冷房運転時には、図５に示すように、上記側面吹出口４からは上記第１熱交換器６と第２熱交換器８とにおいてそれぞれ冷却作用を受けた低温の空気が側方吹出空気Ａｃとして吹き出され、また上記上面吹出口３からは上記第１熱交換器６のみで冷却された比較的温度の高い空気が上方吹出空気Ａｂとして吹き出される。このため、冷房運転時にも快適性を求めるならば、例えば上記側面吹出口４を閉塞するとか、該側面吹出口４を壁面に近接対向させて、該側面吹出口４からの側方吹出空気Ａｃの吹き出しを抑制するようにすれば良い。
【００５０】
また、上記第１熱交換器６及び上記第２熱交換器７，８としては、「クロスフィン型熱交換器」が採用されるのが一般的であるが、特に室内機Ｚ１のコンパクト化を図るという点においては、該第１熱交換器６と第２熱交換器７，８の何れか一方、又は該第１熱交換器６と第２熱交換器７，８の双方を、図６に示すように、複数本の偏平伝熱管３１，３１，・・と複数個のコルゲートフィン３２，３２，・・とを交互に積層するとともに、該各偏平伝熱管３１，３１，・・の両端をそれぞれヘッダー３３，３４によって接続してなる積層型熱交換器３０で構成すれば
好適である。
【００５１】
さらに、この実施形態のように上記ケーシング１内に一対のファン５，５を横方向に所定間隔をもって配置したものにおいては、これら一対のファン５，５を同方向に回転させるのが一般的である。しかし、このように一対のファン５，５を同方向に回転させた場合には、上記側面吹出口４から吹き出される側方吹出空気Ａｃの斜め下方への速度成分が増加し、特に冷房運転時においてダウンドラフト感が増大し、快適性という点において好ましくない。
【００５２】
このようなダウンドラフトを効果的に抑制するには、上記一対のファン５，５の回転方向をその吸込側から見て共に外側向きとなるように設定することが有効である。また、これとは逆に、上記一対のファン５，５の回転方向をその吸込側から見て共に内側向きとなるように設定した場合には、ダウンドラフトの抑制効果は減じるものの、該一対のファン５，５間の間隔を狭めることができることから、室内機のコンパクト化という点において有利である。
【００５３】
また、上記一対のファン５，５の回転数をそれぞれ独立して制御するように構成することもでき、かかる構成とした場合には、例えば人の居る領域に近い側のファン５はその回転数を高目に設定し、人のいない領域に近い側のファン５はその回転数を低目に設定する等、空調要求度に対応したゾーニングが可能となり、快適性のより一層の向上が期待できる。
【００５４】
第２の実施形態（図７〜図９を参照）
図７には、本願発明の第２の実施形態にかかる室内機Ｚ２を備えた空気調和機全体の冷媒回路を示している。この実施形態の室内機Ｚ２は、上記第１の実施形態の室内機Ｚ１においては冷房サイクルにおいて上記第１熱交換器６が上記第２熱交換器８の下流側に位置するように冷媒経路を設定していたのに対して、冷房サイクルにおいて上記第１熱交換器６が上記第２熱交換器８の上流側に位置するように冷媒経路を設定したものである。
【００５５】
従って、図８及び図９に示すように、暖房運転時及び冷房運転時においても上記第１の実施形態の室内機Ｚ１の場合と同様に、上記側面吹出口４からの側方吹出空気Ａｃは上記第１熱交換器６と第２熱交換器８とにおいて加熱又は冷却され、上記上面吹出口３からの上方吹出空気Ａｂは上記第１熱交換器６のみにおいて加熱又は冷却され、この側方吹出空気Ａｃと上方吹出空気Ａｂとの間に温度差が生じる。この結果、上記第１の実施形態の室内機Ｚ１の場合と同様に、特に暖房運転時における快適性を重視した運転が実現されるものである。
【００５６】
第３の実施形態（図１０〜図１３を参照）
第３の実施形態にかかる室内機Ｚ３は、図１０に示すように、上記ケーシング１の上記吸込口２に対応して上記第１熱交換器６を配置するとともに、上記上面吹出口３と左右の側面吹出口４，４のうち、該上面吹出口３に第２熱交換器７を設けて構成される。従って、上記ファン５，５の運転に伴い上記吸込口２から吸い込まれる吸込空気Ａａは、上記第１熱交換器６を通過した後、その一部はそのまま上記側面吹出口４から側方吹出空気Ａｃとして側方へ吹き出され、他の一部はさらに上記第２熱交換器７を通過した後、上記上面吹出口３から上方吹出空気Ａｂとして上方へ吹き出される。
【００５７】
上記室内機Ｚ３を含む空気調和機全体の冷媒回路構成を図１１に示している。この空気調和機は、上記室内機Ｚ３と室外機Ｙとを冷媒配管によって接続して構成されるものであり、該室外機Ｙ側には圧縮機９と四路切換弁１０と室外側熱交換器１１と膨張弁１２が備えられ、また上記室内機Ｚ３には上記第１熱交換器６と第２熱交換器７とが備えられている。そして、この実施形態のものにおいては、上記第１熱交換器６と第２熱交換器７の配置構成を、冷房運転サイクルにおいて該第２熱交換器７が上記第１熱交換器６の冷媒循環方向下流側に位置するように設定している。
【００５８】
続いて、この実施形態にかかる室内機Ｚ３の暖房運転時と冷房運転時とにおける作動等について説明する。
【００５９】
この実施形態の室内機Ｚ３では、上記第２熱交換器７を上記上面吹出口３側に配置し、上記側面吹出口４側には熱交換器を設けていないので、暖房運転時及び冷房運転時共に、上記上面吹出口３側から吹き出される上方吹出空気Ａｂは上記第１熱交換器６と第２熱交換器７とにおいてそれぞれ熱交換作用を受けるのに対して、上記側面吹出口４から吹き出される側方吹出空気Ａｃは上記第１熱交換器６での熱交換作用しか受けず、この結果、上記側方吹出空気Ａｃと上方吹出空気Ａｂとの間には温度差を生じる。この側方吹出空気Ａｃと上方吹出空気Ａｂの温度差を有効に利用して、特に冷房運転時における快適性を高めるのがこの室内機Ｚ３である。
【００６０】
即ち、この室内機Ｚ３の冷房運転時においては、図１３に示すように、吸込空気Ａａのうち、上記側面吹出口４から吹き出される側方吹出空気Ａｃは上記第１熱交換器６においてのみ冷却作用を受けるのに対して、上記上面吹出口３から吹き出される上方吹出空気Ａｂは上記第１熱交換器６と上記第２熱交換器７の双方において冷却作用を受けるので、上方吹出空気Ａｂは比較的低温とされ、側方吹出空気Ａｃは比較的高温とされる。この結果、室内上部にはより冷たい空気が、室内下部には比較的暖かい空気がそれぞれ吹き出されることで「頭寒足熱」が実現され、足元の冷気溜まりを効果的に抑制して快適な冷房感を得ることができる。即ち、冷房快適性重視の運転が実現される。
【００６１】
尚、この室内機Ｚ３の暖房運転時には、図１２に示すように、上記上面吹出口３からは上記第１熱交換器６と第２熱交換器７とにおいてそれぞれ加熱作用を受けた高温の空気が上方吹出空気Ａｂとして吹き出され、また上記側面吹出口４からは上記第１熱交換器６のみで加熱された比較的温度の低い空気が側方吹出空気Ａｃとして吹き出される。このため、暖房運転時にも快適性を求めるならば、例えば上記上面吹出口３を閉塞して該上面吹出口３からの上方吹出空気Ａｂの吹き出しを抑制するようにすれば良い。
【００６２】
第４の実施形態（図１４〜図１６を参照）
図１４には、本願発明の第４の実施形態にかかる室内機Ｚ４を備えた空気調和機全体の冷媒回路を示している。この実施形態の室内機Ｚ４は、上記第３の実施形態の室内機Ｚ３においては冷房サイクルにおいて上記第１熱交換器６が上記第２熱交換器７の上流側に位置するように冷媒経路を設定していたのに対して、冷房サイクルにおいて上記第１熱交換器６が上記第２熱交換器７の冷媒循環方向下流側に位置するように冷媒経路を設定したものである。
【００６３】
従って、図１５及び図１６に示すように、暖房運転時及び冷房運転時においても上記第３の実施形態の室内機Ｚ３の場合と同様に、上記上面吹出口３からの上方吹出空気Ａｂは上記第１熱交換器６と第２熱交換器７とにおいて加熱又は冷却され、上記側面吹出口４からの側方吹出空気Ａｃは上記第１熱交換器６のみにおいて加熱又は冷却され、この側方吹出空気Ａｃと上方吹出空気Ａｂとの間に温度差が生じ、上記第３の実施形態の室内機Ｚ３の場合と同様に、特に冷房運転時における快適性を重視した運転が実現されるものである。
【００６４】
第５の実施形態（図１７〜図１９を参照）
第５の実施形態にかかる室内機Ｚ５は、上記第１の実施形態にかかる室内機Ｚ１と同様に、上記ケーシング１の上記吸込口２に対応して上記第１熱交換器６を配置するとともに、上記上面吹出口３と左右の側面吹出口４，４のうち、該側面吹出口４，４に第２熱交換器８を設けて構成されるもの（図２を参照）を対象としており、従って、上記ファン５，５の運転に伴い上記吸込口２から吸い込まれる吸込空気Ａａは、上記第１熱交換器６を通過した後、その一部はそのまま上記上面吹出口３から上方吹出空気Ａｂとして上方へ吹き出され、他の一部はさらに上記第２熱交換器８を通過した後、上記側面吹出口４から側方吹出空気Ａｃとして側方へ吹き出される。
【００６５】
上記室内機Ｚ５を含む空気調和機全体の冷媒回路構成を図１７に示している。この空気調和機は、上記室内機Ｚ５と室外機Ｙとを冷媒配管によって接続して構成されるものであり、該室外機Ｙ側には圧縮機９と四路切換弁１０と室外側熱交換器１１と膨張弁１２が備えられ、また上記室内機Ｚ５には上記第１熱交換器６と第２熱交換器８とが備えられている。
【００６６】
そして、この実施形態の室内機Ｚ５においては、上記第１熱交換器６と第２熱交換器８とを補助膨張弁１３を介して接続するとともに、これら両熱交換器６，８の配置構成を、冷房運転サイクルにおいて該第２熱交換器８が上記第１熱交換器６の冷媒循環方向上流側に位置するように設定している。
【００６７】
また、この補助膨張弁１３と上記室外機Ｙ側の上記主膨張弁１２との間においては、暖房運転時には上記主膨張弁１２を「絞り」、上記補助膨張弁１３を「全開」とし、また、冷房運転時においては上記主膨張弁１２を「やや絞り」、上記補助膨張弁１３を「絞り」とするように、これら両者の作動関係を相対的に設定している。
【００６８】
続いて、この実施形態にかかる室内機Ｚ５の暖房運転時と冷房運転時とにおける作動等について説明する。
【００６９】
暖房運転時には、上述のように、上記主膨張弁１２を「絞り」、上記補助膨張弁１３を「全開」としているので、図１８に示すように、上記第１熱交換器６と第２熱交換器８とが共に高圧側において凝縮器として機能し、上記上面吹出口３からは上記第１熱交換器６でのみ加熱された比較的温度の低い空気が上方吹出空気Ａｂとして上方へ向けて吹き出される一方、上記側面吹出口４からは上記第１熱交換器６と第２熱交換器８とにおいてそれぞれ加熱された比較的温度の高い空気が側方吹出空気Ａｃとして側方へ向けて吹き出される。従って、室内下部の比較的温度の高い空気の浮上が室内上部の比較的温度の低い空気によって押さえ込まれることで理想的な温熱空間である「頭寒足熱」が実現され、これにより快適な暖房感が得られる。
【００７０】
一方、冷房運転時には、上述のように、上記主膨張弁１２を「やや絞り」、上記補助膨張弁１３を「絞り」としているので、図１９に示すように、上記第１熱交換器６は低圧側で蒸発器として機能するのに対して、上記第２熱交換器８は高圧側と低圧側の中間圧で蒸発器として機能することになる。従って、上記上面吹出口３側からは上記第１熱交換器６において冷却されたのみの比較的温度の低い空気が上方吹出空気Ａｂとして上方へ吹き出されるのに対して、上記側面吹出口４側からは上記第１熱交換器６で冷却された後、これよりも高温の上記第２熱交換器８で冷却されることで、実質的に昇温した比較的温度の高い空気が側方吹出空気Ａｃとして側方へ向けて吹き出される。この結果、理想的な温熱空間である「頭寒足熱」が実現され、足元の冷気溜まりを効果的に抑制して快適な冷房感を得ることができる。
【００７１】
第６の実施形態（図２０〜図２２を参照）
第６の実施形態にかかる室内機Ｚ６は、上記第５の実施形態の室内機Ｚ５が上記側面吹出口４側に上記第２熱交換器８を備え且つ冷房運転サイクルにおいて該第２熱交換器８を上記補助膨張弁１３を介して上記第１熱交換器６の冷媒循環方向上流側に配置していたのに対して、上記上面吹出口３側に上記第２熱交換器７を備え且つこれを上記第１熱交換器６の冷媒循環方向上流側に配置したものである。
【００７２】
また、この実施形態の室内機Ｚ６では、上記補助膨張弁１３と上記室外機Ｙ側の上記主膨張弁１２との間において、暖房運転時には上記主膨張弁１２を「絞り」、上記補助膨張弁１３を「やや絞り」とし、また、冷房運転時においては上記主膨張弁１２を「絞り」、上記補助膨張弁１３を「全開」とするように、これら両者の作動関係を相対的に設定している。
【００７３】
続いて、この実施形態にかかる室内機Ｚ６の暖房運転時と冷房運転時とにおける作動等について説明する。
【００７４】
暖房運転時には、上述のように、上記主膨張弁１２を「絞り」、上記補助膨張弁１３を「やや絞り」としているので、図２１に示すように、上記第１熱交換器６は高圧側で凝縮器として機能し、上記第２熱交換器７は高圧側と低圧側の中間圧で蒸発器として機能する。従って、上記上面吹出口３から上方へ向けて吹き出される上方吹出空気Ａｂは、上記第１熱交換器６において加熱された後、中間圧で蒸発器として機能する上記第２熱交換器７を通ることで冷却され、比較的温度の低い空気とされる。これに対して、上記側面吹出口４から側方へ向けて吹き出される側方吹出空気Ａｃは、上記第１熱交換器６において加熱されるのみであるため、比較的温度の高い空気とされ、室内上部には比較的温度の比較的空気が存在し、室内上部には比較的温度の低い空気が存在することとなる。この結果、室内下部の比較的高温の空気の浮上が室内上部の比較的低温の空気によって押さえ込まれることで「頭寒足熱」が実現され、快適な暖房感が得られることになる。
【００７５】
一方、冷房運転時には、上述のように、上記主膨張弁１２を「絞り」、上記補助膨張弁１３を「全開」としているので、図２２に示すように、上記第１熱交換器６と第２熱交換器７とが共に低圧側で蒸発器として機能する。従って、上記上面吹出口３から上方へ向けて吹き出される上方吹出空気Ａｂは、上記第１熱交換器６と上記第２熱交換器７の双方において冷却されるのに対して、上記側面吹出口４から側方へ向けて吹き出される側方吹出空気Ａｃは上記第１熱交換器６においてのみ冷却され、室内上部には比較的温度の低い空気が存在し、室内下部には比較的温度の高い空気が存在することになる。この結果、理想的な温熱空間である「頭寒足熱」が実現され、足元の冷気溜まりを効果的に抑制して快適な冷房感を得ることができることになる。
【００７６】
第７の実施形態（図２３を参照）
第７の実施形態にかかる室内機Ｚ７は、上記第１〜第６の実施形態にかかる室内機Ｚ１〜Ｚ６においては上記第２熱交換器７，８の付設によって冷暖房時の快適性の向上を図るようにしていたのに対して、上記ファン５の吹出側にヒーター１５を設けることで冷暖房時の快適性の向上を図るようにしたものである。
【００７７】
即ち、この室内機Ｚ７においては、図２３に示すように、上記ファン５の吸込側のみに熱交換器６を配置する一方、上記ファン５の吹出側には熱交換器は設けることなく、上記ヒーター１５を上記側面吹出口４に配置したものである。尚、このヒーター１５は、暖房運転時及び冷房運転時の双方において通電される。
【００７８】
かかる構成とすることで、暖房運転時には、上記側面吹出口４からは上記熱交換器６において加熱された後、さらに上記ヒーター１５において加熱された比較的温度の高い空気が側方吹出空気Ａｃとして吹き出されるのに対して、上記上面吹出口３側からは上記熱交換器６において加熱されただけの比較的温度の低い空気が吹き出される。この結果、室内上部には比較的温度の低い空気が存在し、室内下部には比較的温度の高い空気が存在し、室内下部の比較的高温の空気の浮上が室内上部の比較的低温の空気によって押さえ込まれることで「頭寒足熱」が実現され、快適な暖房感が得られることになる。
【００７９】
一方、冷房運転時には、上記側面吹出口４からは上記熱交換器６において冷却された後、さらに上記ヒーター１５において加熱された比較的温度の高い空気が側方吹出空気Ａｃとして吹き出されるのに対して、上記上面吹出口３側からは上記熱交換器６において冷却されただけの比較的温度の低い空気が吹き出される。この結果、室内下部には比較的温度の低い空気が存在し、室内上部には比較的温度の高い空気が存在し、理想的な温熱空間である「頭寒足熱」が実現され、足元の冷気溜まりを効果的に抑制して快適な冷房感を得ることができることになる。
【００８０】
第８の実施形態
図２４には、第８の実施形態にかかる室内機Ｚ８を示している。この室内機Ｚ８は、上記第１〜第７の実施形態の室内機Ｚ１〜Ｚ７のように上方吹出空気Ａｂと側方吹出空気Ａｃの吹出温度そのものを制御するのではなく、室内空気（即ち、暖房運転時には室内機から吹き出される空調風よりも温度が低く、冷房運転時には該空調風よりも温度の高い空気）を熱交換器６を迂回させて室内へ還流させることで上方吹出空気Ａｂと側方吹出空気Ａｃの温度調整を行い、もって空調の快適性を確保するようにしたものである。
【００８１】
即ち、この室内機Ｚ８においては、図２４に示すように、上記吸込口２の上部から上記ケーシング１の上面の上記上面吹出口３の近傍に跨がる湾曲状のバイパス路２０と該バイパス路２０内に配置されたファン２１とで構成されるサーキュレーション機構Ｘを備えている。
【００８２】
かかる構成とすることで、特に、暖房運転時には、上記熱交換器６によって加熱された後、上記上面吹出口３から上方へ向けて吹き出される上方吹出空気Ａｂと、上記サーキュレーション機構Ｘによって上記上面吹出口３の近傍から上方に吹き出される室内空気Ａｂ′とを混合させることで上方吹出温度を比較的低くする一方、上記側面吹出口４からの上記熱交換器６において加熱されたままの比較的温度の高い空気を側方吹出空気Ａｃとして吹き出し、室内上部の比較的温度の低い空気によって室内下部の比較的温度の高い空気の浮上を押さえ込み、これによって「頭寒足熱」を実現して快適な冷房感を得るものである。尚、冷房運転時には、上記サーキュレーション機構Ｘの作動を停止させる。
【００８３】
第９の実施形態
図２５には、第９の実施形態にかかる室内機Ｚ９を示している。この室内機Ｚ９は、上記第８の実施形態にかかる室内機Ｚ８が暖房運転時の快適性を重視したものであるのに対して、この実施形態の室内機Ｚ９は冷房運転時の快適性を重視したものである。
【００８４】
即ち、この室内機Ｚ９では、その左右両側部に、熱交換器６を迂回して上記吸込口２と上記各側面吹出口４の近傍とを連通するバイパス路２２と該バイパス路２２内に設けられたファン２３とから構成されるサーキュレーション機構Ｘをそれぞれ配置している。
【００８５】
従って、冷房運転時には、上記室内機Ｚ８の側方へは、上記熱交換器６において冷却された上記側面吹出口４からの側方吹出空気Ａｃと、上記サーキュレーション機構Ｘによって上記側面吹出口４の近傍に吹き出される室内空気Ａｃ′とが吹き出し後に混合した比較的温度の高い空気が吹き出される。これに対して、上記室内機Ｚ８の上方へは、上記熱交換器６で冷却された温度の低い空気がそのまま上方吹出空気Ａｂとして上記上面吹出口３側から吹き出される。この結果、室内上部には比較的温度の低い空気が存在し、室内下部には比較的温度の高い空気が存在することとなり、理想的な温熱空間である「頭寒足熱」が実現され、足元の冷気溜まりのない快適な冷房感を得ることができるものである。
【図面の簡単な説明】
【００８６】
【図１】本願発明に係る空気調和機の室内機の設置状態を示す斜視図である。
【図２】本願発明の第１の実施形態にかかる空気調和機における室内機の熱交換器の配置構造を示す断面図である。
【図３】図２に示した空気調和機の冷媒回路図である。
【図４】図２に示した空気調和機の暖房運転時における動作図である。
【図５】図２に示した空気調和機の冷房運転時における動作図である。
【図６】積層型熱交換器の構造を示す正面図である。
【図７】本願発明の第２の実施形態にかかる空気調和機における冷媒回路図である。
【図８】図７に示した空気調和機の暖房運転時における動作図である。
【図９】図７に示した空気調和機の冷房運転時における動作図である。
【図１０】本願発明の第３の実施形態にかかる空気調和機における室内機の熱交換器の配置構造を示す断面図である。
【図１１】図１０に示した空気調和機の冷媒回路図である。
【図１２】図１０に示した空気調和機の暖房運転時における動作図である。
【図１３】図１０に示した空気調和機の冷房運転時における動作図である。
【図１４】本願発明の第４の実施形態にかかる空気調和機の冷媒回路図である。
【図１５】図１４に示した空気調和機の暖房運転時における動作図である。
【図１６】図１４に示した空気調和機の冷房運転時における動作図である。
【図１７】本願発明の第５の実施形態にかかる空気調和機の冷媒回路図である。
【図１８】図１７に示した空気調和機の暖房運転時における動作図である。
【図１９】図１７に示した空気調和機の冷房運転時における動作図である。
【図２０】本願発明の第６の実施形態にかかる空気調和機の冷媒回路図である。
【図２１】図２０に示した空気調和機の暖房運転時における動作図である。
【図２２】図２０に示した空気調和機の冷房運転時における動作図である。
【図２３】本願発明の第７の実施形態にかかる空気調和機の冷媒回路図である。
【図２４】本願発明の第８の実施形態にかかる空気調和機における室内機の断面図である。
【図２５】本願発明の第９の実施形態にかかる空気調和機における室内機の断面図である。
【図２６】従来の空気調和機における室内機の熱交換器の配置構造を示す断面図である。
【図２７】従来の空気調和機の冷媒回路図である。
【図２８】従来の空気調和機の暖房運転時における動作図である。
【図２９】従来の空気調和機の冷房運転時における動作図である。
【符号の説明】
【００８７】
１はケーシング、２は吸込口、３は上面吹出口、４は側面吹出口、５はファン、６は第１熱交換器、７は第２熱交換器、８は第２熱交換器、９は圧縮機、１０は四路切換弁、１１は室外側熱交換器、１２及び１３は膨張弁、１４は開閉弁、１５はヒーター、２０はバイパス路、２１はファン、２２はバイパス路、２３はファン、３０は積層型熱交換器、３１は偏平伝熱管、３２はコルゲートフィン、３３及び３４はヘッダー、５１は室内床面、５２は室壁、５３は窓部、Ａａは吸込空気、Ａｂは上方吹出空気、Ａｃは側方吹出空気、Ｘはサーキュレーション機構、Ｙは室外機、Ｚ及びＺ０〜Ｚ９は室内機である。
【図１】
0003624836.tif 000002
【図２】
0003624836.tif 000003
【図３】
0003624836.tif 000004
【図４】
0003624836.tif 000005
【図５】
0003624836.tif 000006
【図６】
0003624836.tif 000007
【図７】
0003624836.tif 000008
【図８】
0003624836.tif 000009
【図９】
0003624836.tif 000010
【図１０】
0003624836.tif 000011
【図１１】
0003624836.tif 000012
【図１２】
0003624836.tif 000013
【図１３】
0003624836.tif 000014
【図１４】
0003624836.tif 000015
【図１５】
0003624836.tif 000016
【図１６】
0003624836.tif 000017
【図１７】
0003624836.tif 000018
【図１８】
0003624836.tif 000019
【図１９】
0003624836.tif 000020
【図２０】
0003624836.tif 000021
【図２１】
0003624836.tif 000022
【図２２】
0003624836.tif 000023
【図２３】
0003624836.tif 000024
【図２４】
0003624836.tif 000025
【図２５】
0003624836.tif 000026
【図２６】
0003624836.tif 000027
【図２７】
0003624836.tif 000028
【図２８】
0003624836.tif 000029
【図２９】
0003624836.tif 000030